(57)【要約】【課題】正確なパッド位置の設定と、明らかな段差が生じない靴中底本体の表面をつくるための、靴中底本体の上面にパッドを一体型にした靴中底および製造方法、ならびにこれを内蔵した靴を提供することにある。【解決手段】  前足部２５から中足部２７、中足部２７、後足部２９を各々機能的にサポートする形状を持った発泡合成ゴム製パッドＡ１（Ａ３、Ａ５、Ａ７）を、靴中底本体Ａ９上面に単一または任意の組み合わせにより形成せしめてなることを特徴とする。【選択図】図1
2005204711.tif 000002
【特許請求の範囲】
【請求項１】
前足部から中足部、中足部、後足部を各々機能的にサポートする形状を持った発泡合成ゴム製パッドを、靴中底本体上面に単一または任意の組み合わせにより形成せしめてなることを特徴とする靴中底。
【請求項２】
前足部から中足部、中足部、後足部を各々機能的にサポートする形状を持った発泡合成ゴム製パッドを、靴中底本体上面に単一または任意の組み合わせにより加硫一体形成せしめてなることを特徴とする靴中底の製造方法。
【請求項３】
前足部から中足部、中足部、後足部を各々機能的にサポートする形状を持った発泡合成ゴム製パッドを、靴中底本体上面に単一または任意の組み合わせにより形成せしめた靴中底を内蔵したことを特徴とする靴。
【発明の詳細な説明】
【技術分野】
【０００１】
この発明は、靴中底およびその製造方法ならびに靴に関する。
【背景技術】
【０００２】
従来、足骨格の保持や歩行の安定性を得るために、図１２に示されているように、靴中底本体Ａ９上面へ足を機能的にサポートする形状を持った任意の調整用パッドＡ１１を接着剤等で貼付し、要求される機能を設定する技術が知られている。
【特許文献１】特開２００３−９３１０８号公報
【発明の開示】
【発明が解決しようとする課題】
【０００３】
上述のように、靴製造工程上または既成靴の靴中底本体Ａ９の上面へ、足を機能的にサポートする形状を持った任意の調整用パッドＡ１１を接着剤等で貼付する場合は手作業であるため、その位置は前後ないしは左右の不同を生じ、またパッド辺縁部と靴中底本体Ａ９上面に明らかな段差が生じて滑らかな表面をつくることができず、靴使用時の違和感があり、また美しい外観を呈することができなかった。
【０００４】
この発明は上述の課題を解決するためになされたもので、その目的は、正確なパッド位置の設定と、明らかな段差が生じない靴中底本体の表面をつくるための、靴中底本体の上面にパッドを一体型にした靴中底および製造方法ならびにこれを内蔵した靴を提供することにある。
【課題を解決するための手段】
【０００５】
この発明の靴中底は、前足部から中足部、中足部、後足部を各々機能的にサポートする形状を持った発泡合成ゴム製パッドを、靴中底本体上面に単一または任意の組み合わせにより形成せしめてなることを特徴とする構成である。
【０００６】
この発明の靴中底の製造方法は、前足部から中足部、中足部、後足部を各々機能的にサポートする形状を持った発泡合成ゴム製パッドを、靴中底本体上面に単一または任意の組み合わせにより加硫一体形成せしめてなることを特徴とする構成である。
【０００７】
この発明の靴は、前足部から中足部、中足部、後足部を各々機能的にサポートする形状を持った発泡合成ゴム製パッドを、靴中底本体上面に単一または任意の組み合わせにより形成せしめた靴中底を内蔵したことを特徴とする構成である。
【発明の効果】
【０００８】
以上のごとく課題を解決するための手段から理解されるように、前足部から中足部、中足部、後足部を各々機能的にサポートする形状を持った発泡合成ゴム製パッドによって、足部の横アーチ、内側縦アーチ、外側縦アーチを的確に保持することができる。
【０００９】
そして歩行時には、踵を包み込むようにサポートして安定化を増進させ、かつ、踵と靴中底本体の接触が密になることにより、局所的圧力集中を分散させ、踵の角質化や痛みを防止することができる。
【００１０】
各々のパッド位置は、手作業による設定に比較して、前後ないしは左右の不同を生じず、均一な硬度を保つことができる。
【００１１】
またパッド辺縁部と靴中底本体上面に明らかな段差が生じず、滑らかな表面をつくり、美しい外観を持たせることができ、これを内蔵した靴も同様の効果がある。
【００１２】
さらに各パッドの単一または任意の組み合わせにより、多様な形態をなしうるため、その都度、特注金型を用意することなく製造でき、コスト低減および納期短縮の効果がある。
【発明を実施するための最良の形態】
【００１３】
以下、この発明の実施の形態について、図面を参照して詳細に説明する。
【００１４】
図6に示されているように、足骨格の基本構造である３つのアーチについて、骨を基準として説明する。図６において、横アーチ３１は、第１中足骨１５、第２中足骨１７、第３中足骨１９、第４中足骨２１、第５中足骨２３からなる。内側縦アーチ３３は、第１中足骨１５、第１楔状骨７、舟状骨５、距骨３、踵骨１からなる。外側縦アーチ３５は、第５中足骨２３、立方骨１３、踵骨１からなる。なお、９、１１はそれぞれ第２楔状骨、第３楔状骨である。
【００１５】
図6に示されているように、足部の各々の部位である前足部２５、中足部２７、後足部２９について説明する。図６において、前足部２５は、第１中足骨１５、第２中足骨１７、第３中足骨１９、第４中足骨２１、第５中足骨２３よりつま先側の先端部位のことである。中足部２７は、第１中足骨１５、第２中足骨１７、第３中足骨１９、第４中足骨２１、第５中足骨２３が占める足部の中間部位のことである。後足部２９は、第１中足骨１５、第２中足骨１７、第３中足骨１９、第４中足骨２１、第５中足骨２３よりも踵寄りの足部の後方部位のことである。
【００１６】
この発明の靴中底を構成する前足部２５から中足部２７を機能的にサポートする形状を持った発泡合成ゴム製パッド（以下、単にパッドという。）の形状について説明する。パッドＡ１は、図１（Ａ）に示されているように靴中底本体Ａ９の上面に設定され、前足部２５から中足部２７に位置する。図２は右足用の形状であるが、図２（Ａ）の平面図のように、中央部から前側は、先端部に向かってやや狭くなり、後側は後端部に向かって細くなっている。Ａ−Ａ’の断面は、図２（Ｂ）に示されているように、下側は靴中底本体Ａ９の接合部の形状へ適合するようにやや膨らんでおり、上側は中央部が盛り上がっている。Ｂ−Ｂ’の断面は図２（Ｃ）に示されているように、中央部から前側は先端部に向かって薄くなり、後側は中央部から後端部に向かって盛り上がり、その後、後端部に向かって細くなっている。
【００１７】
この発明の靴中底を構成する中足部２７を機能的にサポートする形状を持った発泡合成ゴム製パッドＡ３の形状について説明する。パッドＡ３は、図１（Ｂ）に示されているように靴中底本体Ａ９の上面に設定され、中足部２７に位置する。図３は右足用の形状であるが、図３（Ａ）の平面図のように、中央部から前側は、先端部に向かって広くなり、前端部は中央が前側に膨らんでいる。中央部から後側は、後端部に向かって細くなっている。Ａ−Ａ’の断面は、図３（Ｂ）に示されているように、下側は靴中底本体Ａ９の接合部の形状へ適合するようにやや膨らんでおり、上側は両端から下側に下がって中央部が盛り上がっている。また下側は、靴中底本体Ａ９の接合部の形状へ適合するように、ややカーブしている。Ｂ−Ｂ’の断面は図３（Ｃ）に示されているように、中央部から前側は先端部に向かって厚くなり、前端部の手前で一旦下がって、前端部に達する前に軽く上側に反っている。後側は中央部から後端部に向かって細くなっている。
【００１８】
この発明の靴中底を構成する後足部２９を機能的にサポートする形状を持った発泡合成ゴム製パッドＡ５の形状について説明する。パッドＡ５は、図１（Ｃ）に示されているように靴中底本体Ａ９の上面に設定され、後足部２９に位置する。図４は右足用の形状であるが、図４（Ａ）の平面図のように、前縁部は、中央部に向かって円弧を描くようになっており、後端部は後に向かって円弧を描くようになっている。Ａ−Ａ’の断面は、図４（Ｂ）に示されているように、両端から下側に下がって中央部が最も薄くなっており、下側は靴中底本体Ａ９の接合部の形状へ適合するようにほぼ平らになっている。Ｂ−Ｂ’の断面は図４（Ｃ）に示されているように、後端部から急峻に下がって、その後、前端部に向かってほぼ平らな面が連続し、前端部に至る手前から細くなっている。
【００１９】
この発明の靴中底を構成する前足部２５から中足部２７、中足部２７、後足部２９を機能的にサポートする形状を持った発泡合成ゴム製パッドの形状について説明する。パッドＡ７は、図１（Ｄ）に示されているように靴中底本体Ａ９の上面に設定され、前足部２５から後足部２９にわたって位置する。図５は右足用の形状であるが、図５（Ａ）の平面図のように、上述の3種類のパッドＡ１、Ａ３、Ａ５を滑らかに組み合わせ、一体にした形状になっている。さらに、図５（Ｂ）のＡ−Ａ’断面図、図５（Ｃ）のＢ−Ｂ’'断面図、図５（Ｄ）のＣ−Ｃ’断面図、図５（Ｅ）のＤ−Ｄ’断面図に示されている形状においても同様である。
【００２０】
これらのパッドを靴中底本体Ａ９上面に加硫一体形成するが、このときの単一または任意の組み合わせについて説明する。最大7種類のパッド形状があるもので、パッドＡ１［図１（Ａ）］のみ、パッドＡ３［図１（Ｂ）］のみ、パッドＡ５［図１（Ｃ）］のみ、パッドＡ１とパッドＡ３、パッドＡ１とパッドＡ５、パッドＡ３とパッドＡ５、パッドＡ１とパッドＡ３およびパッドＡ５の3つの組み合わせであるパッドＡ７［図１（Ｄ）］がある。
【００２１】
図７（Ａ）、図７（Ｂ）および図７（Ｃ）により、前足部２５から中足部２７を機能的にサポートする形状を持った発泡合成ゴム製パッドＡ１の機能を説明する。図７（Ａ）は右足用の形状であるが、靴木型Ａ１３の前足部２５の底面形状は、本来、足の横アーチ３１構造により、上に凸であるべきだが、もしパッドＡ１がなければ、図７（Ｂ）に示されているように、靴の展示美観上および製靴上、下に凸になっている。この結果、足部の横アーチ３１の扁平化を誘発し、痛みやタコを生じさせ、足骨格は開張足へと変形が進行する。靴の展示美観上および製靴上の都合と、足部の横アーチ３１の扁平化の防止を両立させるため、靴の外観上は下に凸を保持しながら、パッドＡ１と一体化した靴中底本体Ａ９の接足面３７は、図７（Ｃ）に示されているように、上へ凸とすることにより、足の横アーチ３１を保持して解剖学的に適合させることができる。
【００２２】
図８（Ａ）、図８（Ｂ）および図８（Ｃ）により、中足部２７を機能的にサポートする形状を持った発泡合成ゴム製パッドＡ３の機能を説明する。図８（Ａ）は右足用の形状であるが、足部の内側縦アーチ３３および外側縦アーチ３５を保持する形状を有する。もしパッドＡ３がなければ、図８（Ｂ）に示されるように、内側縦アーチ３３が低下する。
【００２３】
また靴のヒールが高くなると、主に内側縦アーチ３３が高くなるので、単位面積当たりの体重負荷量が増加し、タコや痛みの原因となる。このため、図８（Ｃ）に示されるように、中足部２７を機能的にサポートする形状を持った発泡合成ゴム製パッドＡ３によって、接触面積を増大させることにより、単位面積当たりの体重負荷量を減少させて、この問題を解消することができる。
【００２４】
例えば、ローヒール靴による歩行では踵から地面に接地し、踵の軟部組織が適度に潰れることによって、歩行の初期の安定化を行っているが、例えばハイヒール靴による歩行では、つま先と踵がほぼ同時に接地するため、この踵の軟部組織による安定化が図れず、接地直後の踵の左右方向のバランスが不安定となり、続く蹴り出しへの円滑な歩行運動が安定しない。さらにこの不安定要素は、足関節捻挫や靴ズレなどを誘発する。
【００２５】
図９（Ａ）および図９（Ｂ）により、上述の問題がある後足部２９を機能的にサポートする形状を持った発泡合成ゴム製パッドＡ５の機能を説明する。図９（Ａ）は右足用の形状であるが、図９（Ｂ）に示されるように、踵を包み込むようにサポートして安定化を増進させ、かつ、踵と靴中底本体Ａ９の接触が密になることにより、局所的圧力集中を分散させ、角質化や痛みを防止することができる。
【００２６】
図１０により、前足部２５から中足部２７、中足部２７、後足部２９を機能的にサポートする形状を持った発泡合成ゴム製パッドＡ７の機能について説明する。図１０は右足用の形状であるが、上述のパッドＡ１、パッドＡ３、パッドＡ５の組み合わせ例として、図１０に示されるように、パッドＡ７があり、横アーチ３１、内側縦アーチ３３、外側縦アーチ３５を的確に保持しすることにより、各々のパッドの効果を合わせ持つ。
【００２７】
図１１により、靴中底の製造方法について説明する。予め製造された靴中底本体Ａ９を雌金型Ａ１７内においた後、靴中底本体Ａ９上面へ、例えばパッドＡ３の原材料である発泡合成ゴムを適宜配置し、雄金型Ａ１５を例えば雌金型Ａ１７に対して下降させて、例えば約１５０℃で８〜１０分、約３ｔの圧力により、加熱圧力を加え、発泡合成ゴムに加硫加工を施すことによって製造される。これにより各々のパッド位置は、手作業とは異なり、前後ないしは左右の不同を生じず、かつ発泡合成ゴムは左右均一な硬度を保つことができる。また、パッド辺縁部と靴中底本体Ａ９上面に図１２に示したような明らかな段差が生じず、滑らかな表面をつくることができる。さらに、予め準備された金型を使用することにより、各パッドの単一または組み合わせにより多様な形態をなしうるため、その都度、特注金型を用意することなく製造できるので、コストの低減および納期を短縮することができる。
【００２８】
この発明の靴について説明する。前足部２５から中足部２７、中足部２７、後足部２９を各々機能的にサポートする形状を持った発泡合成ゴム製パッドＡ１（Ａ３、Ａ５、Ａ７）を、靴中底本体Ａ９上面に単一または任意の組み合わせにより形成された靴中底を内蔵した靴において、各々のパッド位置は手作業と異なり、前後ないしは左右の不同を生じず、左右均一な硬度を保つことができる。また、靴中底本体Ａ９上面は、パッド辺縁部と靴中底本体Ａ９上面に図１２に示したような明らかな段差が生じず、滑らかな表面になるため、足裏と靴中底本体Ａ９上面の接触が密接で使用感がよい。さらに靴中底本体Ａ９上面に貼付する中敷にシワや段差を生じないため、靴展示上、美しい外観を呈することができる。
【００２９】
この発明の靴中底を構成する部品について説明する。足底全体を覆う上層部分である全中材の素材は、例えばセルロースファイバーであり、中足部２７から後足部２９を覆う下層部分である半中材は、例えばファイバーボードによる。また靴中底本体Ａ９に一体形成されるパッドの素材は、例えば発泡合成ゴムによる。
【図面の簡単な説明】
【００３０】
【図１】右足用を例とし、（Ａ）は靴中底本体と、前足部から中足部を機能的にサポートする形状を持った発泡合成ゴム製パッドが一体形成された靴中底であり、（Ｂ）は靴中底本体と、中足部を機能的にサポートする形状を持った発泡合成ゴム製パッドが一体形成された靴中底であり、（Ｃ）は靴中底本体と、後足部を機能的にサポートする形状を持った発泡合成ゴム製パッドが一体形成された靴中底であり、（Ｄ）は靴中底本体と、前足部から中足部、および後足部を各々機能的にサポートする形状を持った発泡合成ゴム製パッドが一体形成された靴中底である。
【図２】右足用を例とし、（Ａ）は前足部から中足部を機能的にサポートする形状を持った発泡合成ゴム製パッドの平面図であり、（Ｂ）は前足部から中足部を機能的にサポートする形状を持った発泡合成ゴム製パッドのＡ−Ａ’断面図であり、（Ｃ）は前足部から中足部を機能的にサポートする形状を持った発泡合成ゴム製パッドのＢ−Ｂ’断面図である。
【図３】右足用を例とし、（Ａ）は中足部を機能的にサポートする形状を持った発泡合成ゴム製パッドの平面図であり、（Ｂ）は中足部を機能的にサポートする形状を持った発泡合成ゴム製パッドＡ−Ａ’断面図であり、（C）は中足部を機能的にサポートする形状を持った発泡合成ゴム製パッドのＢ−Ｂ’断面図である。
【図４】右足用を例とし、（Ａ）は後足部を機能的にサポートする形状を持った発泡合成ゴム製パッドの平面図であり、（Ｂ）は後足部を機能的にサポートする形状を持った発泡合成ゴム製パッドＡ−Ａ’断面図であり、（Ｃ）後足部を機能的にサポートする形状を持った発泡合成ゴム製パッドのＢ−Ｂ’断面図である。
【図５】右足用を例とし、（Ａ）は前足部から中足部、および後足部を各々機能的にサポートする形状を持った発泡合成ゴム製パッドの平面図であり、（Ｂ）は前足部から中足部、および後足部を各々機能的にサポートする形状を持った発泡合成ゴム製パッドＡ−Ａ’'断面図であり、（Ｃ）は前足部から中足部、および後足部を各々機能的にサポートする形状を持った発泡合成ゴム製パッドのＢ−Ｂ’断面図であり、（Ｄ）は前足部から中足部、および後足部を各々機能的にサポートする形状を持った発泡合成ゴム製パッドのＣ−Ｃ’断面図であり、（Ｅ）は前足部から中足部、および後足部を各々機能的にサポートする形状を持った発泡合成ゴム製パッドのＤ−Ｄ’断面図である。
【図６】右足を例とした、足骨格と足の3つのアーチを示した斜視図である。
【図７】右足用を例とし、（Ａ）は前足部から中足部を機能的にサポートする形状を持った発泡合成ゴム製パッドを一体形成した靴中底と靴木型および足骨格の位置関係を示した斜視図であり、（Ｂ）はパッドがない状態の靴中底と靴木型および足骨格の位置関係を示した正面図であり、（Ｃ）はパッドがある状態の靴中底と靴木型および足骨格の位置関係を示した正面図である。
【図８】右足用を例とし、（Ａ）は中足部を機能的にサポートする形状を持った発泡合成ゴム製パッドを一体形成した靴中底と靴木型および足骨格の位置関係を示した斜視図であり、（Ｂ）はパッドがない状態の靴中底と靴木型および足骨格の位置関係を示した内側面図であり、（Ｃ）はパッドがある状態の靴中底と靴木型および足骨格の位置関係を示した内側面図である。
【図９】右足用を例とし、（Ａ）は後足部を各々機能的にサポートする形状を持った発泡合成ゴム製パッドを一体形成した靴中底と靴木型および足骨格の位置関係を示した斜視図であり、（Ｂ）は（Ａ）の後面図である。
【図１０】右足用を例とし、前足部から中足部および後足部を各々機能的にサポートする形状を持った発泡合成ゴム製パッドを一体形成した靴中底と靴木型および足骨格の位置関係を示した斜視図である。
【図１１】靴中底の製造方法の模式図である。
【図１２】靴中底本体と調整用パッドの段差の説明する側面図である。
【符号の説明】
【００３１】
１  距骨
３  踵骨
５  舟状骨
７  第1楔状骨
９  第2楔状骨
１１  第3楔状骨
１３  立方骨
１５  第1中足骨
１７  第2中足骨
１９  第3中足骨
２１  第4中足骨
２３  第5中足骨
２５  前足部
２７  中足部
２９  後足部
３１  横アーチ
３３  内側縦アーチ
３５  外側縦アーチ
３７  接足面
Ａ１  前足部から中足部を機能的にサポートする形状を持った発泡合成ゴム製パッド
Ａ３  中足部を機能的にサポートする形状を持った発泡合成ゴム製パッド
Ａ５  後足部を機能的にサポートする形状を持った発泡合成ゴム製パッド
Ａ７  前足部から中足部、および後足部を各々機能的にサポートする形状を持った発泡合成ゴム製パッド
Ａ９  靴中底本体
Ａ１１  調整用パッド
Ａ１３  靴木型
Ａ１５  雄金型
Ａ１７  雌金型
【図１】
2005204711.tif 000003
【図２】
2005204711.tif 000004
【図３】
2005204711.tif 000005
【図４】
2005204711.tif 000006
【図５】
2005204711.tif 000007
【図６】
2005204711.tif 000008
【図７】
2005204711.tif 000009
【図８】
2005204711.tif 000010
【図９】
2005204711.tif 000011
【図１０】
2005204711.tif 000012
【図１１】
2005204711.tif 000013
【図１２】
2005204711.tif 000014